(57)【特許請求の範囲】
【請求項１】
本体部材に荷物を載せる荷台を引き出し可能に設けた乗物の室内上部構造において、
前記乗物の室内上部構造は、前記荷台の運動を案内する案内装置を備え、
前記案内装置は、前記本体部材に取り付けられる第一部材と、前記第一部材に円弧の軌道に沿って線運動可能に組み付けられ、前記荷台に取り付けられる第二部材と、を有し、
前記案内装置は、前記荷台を引き出すとき、前記荷台が上方に持ち上げられるように、前記荷台及び前記本体部材に取り付けられ、
前記案内装置の前記円弧の軌道の中心が前記円弧の軌道の上方にある乗物の室内上部構造。
【請求項２】
前記第一部材は、移動体及び円弧形の軌道台のいずれか一方であり、
前記第二部材は、前記移動体及び前記軌道台の他方であることを特徴とする請求項１に記載の乗物の室内上部構造。
【請求項３】
前記軌道台と前記移動体との間には、転がり運動可能に複数の転動体が介在し、
前記軌道台は、転動体転走部を有し、
前記移動体は、前記軌道台の前記転動体転走部に対向する負荷転動体転走部、及び前記軌道台の前記転動体転走部と前記移動体の前記負荷転動体転走部との間に転がり運動可能に介在する前記複数の転動体を循環させる循環路を有することを特徴とする請求項２に記載の乗物の室内上部構造。
【請求項４】
前記乗物の室内上部構造は、車両の荷物棚に使用され、
前記本体部材は、固定荷台を有し、
前記荷台を引き出すとき、前記固定荷台と前記荷台の両方に荷物を載せることが可能で
あることを特徴とする請求項１ないし３のいずれかに記載の乗物の室内上部構造。
【請求項５】
前記乗物の室内上部構造は、航空機のオーバーヘッドビンに使用され、
前記本体部材は、
引き込まれた前記荷台が収容される収容部と、
前記荷台を出し入れするための開口部と、
前記開口部を開閉する蓋と、を有することを特徴とする請求項１ないし３のいずれかに記載の乗物の室内上部構造。
【請求項６】
本体部材に荷物を載せる荷台を引き出し可能に設けた乗物の室内上部構造において、
前記乗物の室内上部構造は、前記荷台の運動を案内する案内装置を備え、
前記案内装置は、前記本体部材に取り付けられる第一部材と、前記第一部材に円弧の軌道に沿って線運動可能に組み付けられ、前記荷台に取り付けられる第二部材と、を有し、
前記乗物の室内上部構造は、航空機のオーバーヘッドビンに使用され、
前記本体部材は、
引き込まれた前記荷台が収容される収容部と、
前記荷台を出し入れするための開口部と、
前記開口部を開閉する蓋と、を有し、
前記案内装置は、前記荷台を引き出すとき、前記荷台が上方に持ち上げられるように、かつ前記荷台を引き込むとき、前記荷台が上方に持ち上げられるように、前記荷台及び前記本体部材に取り付けられる乗物の室内上部構造。
【請求項７】
前記蓋を開閉させるためのリンク機構が前記蓋と平行に配置され、
前記荷台を移動させるためのリンク機構が前記蓋と直角に配置されることを特徴とする
請求項５又は６に記載の乗物の室内上部構造。
【請求項８】
本体部材に荷物を載せる荷台を引き出し可能に設けた乗物の室内上部構造において、
前記乗物の室内上部構造は、前記荷台の運動を案内する案内装置を備え、
前記案内装置は、前記本体部材に取り付けられる第一部材と、前記第一部材に円弧の軌道に沿って線運動可能に組み付けられ、前記荷台に取り付けられる第二部材と、を有し、
前記乗物の室内上部構造は、航空機のオーバーヘッドビンに使用され、
前記本体部材は、
引き込まれた前記荷台が収容される収容部と、
前記荷台を出し入れするための開口部と、
前記開口部を開閉する蓋と、を有し、
前記乗物の室内上部構造はさらに、
前記蓋を開閉させる駆動装置と、
前記荷台を引き出し、かつ引き込む荷台駆動装置と、
前記蓋が開いた後、前記荷台が引き出され、かつ前記荷台が引き込まれた後、前記蓋が閉じるように、前記駆動装置と前記荷台駆動装置とを連動させる制御装置と、を備える乗物の室内上部構造。
【発明の詳細な説明】
【技術分野】
【０００１】
本発明は、電車、バス、航空機等の乗物の天井直下の側壁に配置される本体部材に荷物を載せる荷台を引き出し可能に設けた乗物の室内上部構造に関する。
【背景技術】
【０００２】
電車、バス等の車両において、荷物棚が天井直下の側壁に設けられる。この荷物棚にとって、荷物の積載容量を大きくすることと、室内スペースを大きくとって乗客の居住性をよくすることは、相反する要件になる。電車（特に欧州）の荷台は奥行きが少ないものが多く、大きい荷物を荷台に載せることは困難である。また、車両の端などにある荷物スペースに荷物を置いた場合、目から離れた場所になるため、盗難の可能性もある。
【０００３】
また、航空機のオーバーヘッドビンにおいて、座席の配置上、通路から手の届きにくい遠い位置に荷台が設置される場合、荷台が不動なので、乗客が荷物の出し入れをしにくい。荷台の奥に小型の荷物が入り込むと、荷物をより取り出しにくい。
【０００４】
荷物の積載容量を大きくすることと、室内スペースを大きくとることを両立させるために、特許文献１には、本体部材に荷物を載せる荷台を引き出し可能に設けた乗物（車両）の室内上部構造が開示されている。この乗物の室内上部構造において、本体部材と荷台との間には、スライドレール機構が配置される。
【先行技術文献】
【特許文献】
【０００５】
【特許文献１】実公平２−４７０７７号公報
【発明の概要】
【発明が解決しようとする課題】
【０００６】
しかし、特許文献１に記載の乗物の室内上部構造にあっては、本体部材から荷台が直線的に引き出されるので、引き出された荷台が乗客の邪魔になるという課題がある。また、乗物のカーブ走行時の遠心力や停車時に乗物が傾くことによって、荷台が飛び出してしまうという課題もある。
【０００７】
そこで、本発明は、荷台が引き出されたときにも乗客に邪魔になることなく、乗物のカーブ走行時の遠心力等によって荷台が飛び出すのを防止できる乗物の室内上部構造を提供することを目的とする。
【課題を解決するための手段】
【０００８】
上記課題を解決するために、本発明の一態様は、本体部材に荷物を載せる荷台を引き出し可能に設けた乗物の室内上部構造において、前記乗物の室内上部構造は、前記荷台の運動を案内する案内装置を備え、前記案内装置は、前記本体部材に取り付けられる第一部材と、前記第一部材に円弧の軌道に沿って線運動可能に組み付けられ、前記荷台に取り付けられる第二部材と、を有し、前記案内装置は、前記荷台を引き出すとき、前記荷台が上方に持ち上げられるように、前記荷台及び前記本体部材に取り付けられ、前記案内装置の前記円弧の軌道の中心が前記円弧の軌道の上方にある乗物の室内上部構造である。
本発明の他の態様は、本体部材に荷物を載せる荷台を引き出し可能に設けた乗物の室内上部構造において、前記乗物の室内上部構造は、前記荷台の運動を案内する案内装置を備え、前記案内装置は、前記本体部材に取り付けられる第一部材と、前記第一部材に円弧の軌道に沿って線運動可能に組み付けられ、前記荷台に取り付けられる第二部材と、を有し、前記乗物の室内上部構造は、航空機のオーバーヘッドビンに使用され、前記本体部材は、引き込まれた前記荷台が収容される収容部と、前記荷台を出し入れするための開口部と、前記開口部を開閉する蓋と、を有し、前記案内装置は、前記荷台を引き出すとき、前記荷台が上方に持ち上げられるように、かつ前記荷台を引き込むとき、前記荷台が上方に持ち上げられるように、前記荷台及び前記本体部材に取り付けられる乗物の室内上部構造である。
本発明のさらに他の態様は、本体部材に荷物を載せる荷台を引き出し可能に設けた乗物の室内上部構造において、前記乗物の室内上部構造は、前記荷台の運動を案内する案内装置を備え、前記案内装置は、前記本体部材に取り付けられる第一部材と、前記第一部材に円弧の軌道に沿って線運動可能に組み付けられ、前記荷台に取り付けられる第二部材と、を有し、前記乗物の室内上部構造は、航空機のオーバーヘッドビンに使用され、前記本体部材は、引き込まれた前記荷台が収容される収容部と、前記荷台を出し入れするための開口部と、前記開口部を開閉する蓋と、を有し、前記乗物の室内上部構造はさらに、前記蓋を開閉させる駆動装置と、前記荷台を引き出し、かつ引き込む荷台駆動装置と、前記蓋が開いた後、前記荷台が引き出され、かつ前記荷台が引き込まれた後、前記蓋が閉じるように、前記駆動装置と前記荷台駆動装置とを連動させる制御装置と、を備える乗物の室内上部構造である。
【発明の効果】
【０００９】
本発明によれば、案内装置が荷台を円弧の軌道に沿って線運動させるので、引き出された荷台を乗客の上方に退避させることや、乗物のカーブ走行時の遠心力等によって荷台が飛び出すのを防止することが可能になる。また、引き出された荷台から荷物が不意に落下するのを防止できる。
【図面の簡単な説明】
【００１０】
【図１】本発明の第一実施形態を示す乗物の室内上部構造の正面側斜視図である（本発明を車両に適用する実施形態）。
【図２】本発明の第一実施形態を示す乗物の室内上部構造の背面側斜視図である。
【図３】図２のＡ部拡大図である。
【図４】本発明の第一実施形態を示す乗物の室内上部構造の平面図である。
【図５】本発明の第一実施形態を示す乗物の室内上部構造の正面図である。
【図６】本発明の第一実施形態を示す乗物の室内上部構造の側面図である。
【図７】本発明の第一実施形態を示す乗物の室内上部構造に組み込まれる運動案内装置の斜視図である。
【図８】本発明の第二実施形態を示す乗物の室内上部構造の側面図である（本発明を航空機のオーバーヘッドビンに適用する実施形態であり、図８（ａ）は荷台の引き込み位置を示し、図８（ｂ）は荷台の引き出し位置を示す）。
【図９】本発明の第二実施形態を示す乗物の室内上部構造の背面側斜視図である（図９（ａ）は荷台の引き込み位置を示し、図９（ｂ）は荷台の引き出し位置を示す）。
【図１０】本発明の第二実施形態を示す乗物の室内上部構造の正面側斜視図である（図１０（ａ）は蓋が閉じた状態を示し、図１０（ｂ）は蓋が開いて荷台が引き出された状態を示す）。
【発明を実施するための形態】
【００１１】
以下、添付図面を参照して、本発明の一実施形態の乗物の室内上部構造を詳細に説明する。
【００１２】
図１は、本発明の第一実施形態の乗物の室内上部構造の正面側斜視図である。電車、バス等の車両の天井直下の側壁には、本体部材２３が突出して設けられる。典型的には、本体部材２３は乗物の側壁の窓と天井との間に配置される。
【００１３】
本体部材２３は、壁面に固定される左右一対のブラケット２１と、左右一対のブラケット２１に架け渡される固定荷台２２（図２参照）と、固定荷台２２に対して前後方向に引き出し可能な荷台２４と、を備える。左右一対のブラケット２１及び固定荷台２２が本体部材２３を構成する。なお、上下、左右、前後とは、通路にいる乗客が荷台を見たときの上下、左右、前後をいう（図１、図６参照）。
【００１４】
固定荷台２２は、湾曲した板形状に形成される（図２参照）。荷台２４も湾曲した板形状に形成される。荷台２４は、固定荷台２２に対して引き出し可能である。図１及び図２に示すように、荷台２４を引き出したとき、固定荷台２２と荷台２４の合算した面積を広くすることができるので、大きい荷物を載せることが可能になる。
【００１５】
図２に示すように、荷台２４の左右の両端には、荷台２４の運動を案内する案内装置２が設けられる。図３の拡大図に示すように、案内装置２は、ブラケット２１に取り付けられる第一部材としてのブロック（移動体）３と、ブロック３に円弧の軌道に沿って線運動可能に組み付けられ、荷台２４に取り付けられる第二部材としての円弧形のレール（軌道台）４と、を備える。
【００１６】
図６の側面図に示すように、案内装置２は、荷台２４を引き出すとき、荷台２４が上方に持ち上げられるように、荷台２４及びブラケット２１に取り付けられる。
【００１７】
図７は、案内装置２の詳細図を示す。レール４は、曲率半径Ｒの円弧に曲げられる。レール４の幅方向の両側には、転動体としてのボール７が転がり運動するボール転走溝１４が形成される。レール４は、ブロック３に転がり運動可能な複数のボール７を介して曲線運動可能に組み付けられる。ブロック３には、レール４のボール転走溝１４に対向する負荷ボール転走溝１１が形成される。複数のボール７は、レール４のボール転走溝１４とブロック３の負荷ボール転走溝１１との間に転がり運動可能に介在する。ブロック３には、複数のボール７を循環させるための循環路が形成される。循環路は、負荷ボール転走溝１１に平行な戻し路１２と、負荷ボール転走溝１１と戻し路１２を接続する一対のＵ字状の方向転換路１３と、から構成される。ブロック３は、負荷ボール転走溝１１及び戻し路１２が形成されるブロック本体３−１と、ブロック本体３−１の移動方向の両端面に取り付けられ、一対の方向転換路１３が形成される一対のエンドプレート３−２と、を備える。図７には、ブロック本体３−１及びエンドプレート３−２の一部断面が示されている。本実施形態のように、転動体を有する案内装置を用いることで、ひっかかりなくスムーズな案内が可能となる。
【００１８】
図６に示すように、荷台２４とブラケット２１との間には、引き出された荷台２４の位置を固定するためのガススプリング３１が設けられる。ガススプリング３１は、一端部が荷台２４に回転可能に連結され、他端部がブラケット２１に回転可能に連結される。リリースノブ３０を押すと、自由に荷台を引き出すことができ、押したリリースノブ３０を離すと、引き出した荷台２４の位置を固定することができるようになっている。ガススプリング３１は、人手による荷台２４の引き出し動作をアシストする機能も持つ。また、ガススプリング３１は、危険防止のために荷台２４の急な動作を防ぐ機能も持つ。
【００１９】
ガススプリング３１は、圧縮ガスが充填される円筒形の本体と、本体に対してスライド可能なロッドと、ロッドの位置を固定するためのロック機構と、を備える。本体の内部には、ロッドと一体にピストンが設けられる。本体の内部に充填された圧縮ガスによって、ピストンを介してロッドに伸び方向に反発力が作用する。リリースノブ３０とガススプリング３１のロック機構とは油圧配管で接続され、ロック機構はリリースノブ３０によって制御される。
【００２０】
図６に示すように、荷台２４とブラケット２１との間には、荷台２４を引き込むのを容易にするためのシリンダ形状のスプリング３２（円筒形の本体及び本体に対してスライド可能なロッドを備えるガススプリング等）が設けられる。このスプリング３２は、一端部が荷台２４に回転可能に連結され、他端部がブラケット２１に回転可能に連結される。このスプリング３２は、荷台２４に引き込み方向の付勢力を付与する。スプリング３２の引き込み方向の付勢力は、ガススプリング３１の引き出し方向の付勢力よりも小さい。スプリング３２はガススプリング３１の引き出し方向の付勢力を弱め、荷台２４を引き込み易くする。
【００２１】
図８は、本発明の第二実施形態の乗物の室内上部構造の側面図を示す。図８（ａ）は荷台３７の引き込み位置を示し、図８（ｂ）は荷台３７の引き出し位置を示す。第二実施形態は、本発明を航空機のオーバーヘッドビンに適用する実施形態である。第二実施形態では、本体部材３８の内側に案内装置２を用いた可動式の荷台３７を設け、荷台３７を使用者に向かって移動可能とすることで、荷台３７への荷物の出し入れを容易にする。また、荷台３７を移動可能とすることによって、キャビンの通路から手が届きにくい位置でもオーバーヘッドビンの設置を可能とし、航空機内のインテリア設計の自由度を向上させる。なお、以下の説明での上下、左右、前後とは、キャビンの通路にいる使用者から荷台を見たときの上下、左右、前後をいう。
【００２２】
本体部材３８は、キャビンの側壁３３に埋め込まれる。本体部材３８は、引き込まれた荷台３７が収容される収容部３６と、荷台３７を収容部３６に出し入れするための開口部３４（図１０（ａ）、図１０（ｂ）参照）と、開口部３４を開閉する蓋３５（図８（ａ）、図８（ｂ）においてドットで示す）と、を有する。オーバーヘッドビンに使用される場合、開口部３４を開閉する蓋３５を備える。蓋３５には、例えば上下方向にスライドするスライド式のもの、又は水平軸の回りを回転するヒンジ式のものを用いることもできる。
【００２３】
荷台３７は、図８（ａ）に示す引き込み位置から図８（ｂ）に示す引き出し位置まで移動する。荷台３７の移動は、案内装置２（図９（ａ）、図９（ｂ）参照）によって案内される。案内装置２は、荷台３７が円弧の軌道に沿って線運動するように案内する。案内装置２は、第一実施形態と同様に、荷台３７に取り付けられる円弧形のレール４と、本体部材３８に取り付けられるブロック３と、を備える。案内装置２の構成は、第一実施形態のものと同一なので、同一の符号を附してその説明を省略する。
【００２４】
図８（ａ）→図８（ｂ）に示すように、引き込み位置にある荷台３７を引き出すとき、荷台３７の引き出し側の端部３７−１が上方に持ち上げられる。これにより、引き出し時に荷物が不意に落下するのを防止できる。また、図８（ｂ）→図８（ａ）に示すように、引き出し位置にある荷台３７を引き込むとき、荷台３７の引き込み側の端部３７−２が上方に持ち上げられる。これにより、収容部３６の前後方向の寸法を小さくできる。
【００２５】
図９は、第二実施形態の乗物の室内上部構造の背面側斜視図を示す。図９（ａ）は荷台３７の引き込み位置を示し、図９（ｂ）は荷台３７の引き出し位置を示す。図９（ｂ）に示すように、本体部材３８は開口部３４（図１０（ａ）、図１０（ｂ）も参照）を画定する枠４１を有する。この枠４１に、蓋３５の上下方向のスライドを案内する左右一対の直動案内装置（リニアガイド４２）が左右一対の支持板４５を介して取り付けられる。リニアガイド４２は、レール４４と、ブロック４３と、を備える。リニアガイド４２は、支持板４５と蓋３５との間に配置される。また、枠４１には、荷台３７の円弧運動を案内する左右一対の案内装置２が左右一対のブラケット４６を介して取り付けられる。
【００２６】
図９（ａ）に示すように、荷台３７は、湾曲した板形状の底板３７ａと、左右一対の側板３７ｂと、背面板３７ｃと、を備える。底板３７ａ、側板３７ｂ、及び背面板３７ｃによって、荷物を収納する空間が画定される。底板３７ａの左右の両端部には、案内装置２のレール４が取り付けられる。レール４は底板３７ａを補強する役割も持つ。
【００２７】
図９（ｂ）に示すように、蓋３５の開閉は、例えば電動シリンダ、油圧シリンダ等の駆動装置４８及びリンク機構５１によって行われる。リンク機構５１は、駆動装置４８のロッド４８ａを伸縮させると、蓋３５が開閉するように構成される。駆動装置４８の一端部は、支持板４５に回転可能に取り付けられる。駆動装置４８の他端部は、リンク機構５１の第一リンク４９に回転可能に連結される。リンク機構５１は、第一リンク４９と、第二リンク５０と、を備える。第一リンク４９は、中央部が支持板４５に回転軸５２の回りを回転可能に連結される。第一リンク４９の一端部は駆動装置４８に回転可能に連結される。第一リンク４９の他端部は第二リンク５０に回転可能に連結される。第二リンク５０の一端部は第一リンク４９に回転可能に連結される。第二リンク５０の他端部は蓋３５に結合される軸５３に回転可能に連結される。ここで、リンク機構５１は蓋３５と平行に設けられる（すなわち、図８（ａ）に示すように、リンク機構５１の第一リンク４９及び第二リンク５０は蓋３５と平行に設けられる）。
【００２８】
また、図９（ｂ）に示すように、荷台３７の引き出し及び引き込みは、例えば電動シリンダ、油圧シリンダ等の荷台駆動装置５４及びリンク機構５７によって行われる。荷台駆動装置５４及びリンク機構５７は、荷台駆動装置５４のロッド５４ａを伸縮させると、荷台３７が引き出され及び引き込まれるように構成される。荷台駆動装置５４の一端部は枠４１に回転可能に連結される。荷台駆動装置５４の他端部はリンク機構５７の第一リンク５５に軸５８を介して回転可能に連結される。左右一対のリンク機構５７は、第一リンク５５と、第二リンク５６と、を備える。第一リンク５５は、中央部がブラケット４６の延長部４６ａに軸５９の回りを回転可能に連結される。第一リンク５５の一端部は荷台駆動装置５４に軸５８を介して回転可能に連結される。第一リンク５５の他端部は第二リンク５６に回転可能に連結される。第二リンク５６の一端部は第一リンク５５に回転可能に連結される。第二リンク５６の他端部は荷台３７に回転可能に連結される。ここで、リンク機構５７は、蓋３５と直角に設けられる（すなわち、図８（ａ）に示すように、リンク機構５７の第一リンク５５及び第二リンク５６は蓋３５と直角に設けられる）。
【００２９】
図８（ａ）に示すように、駆動装置４８及び荷台駆動装置５４は制御装置６１によって制御される。制御装置６１には、駆動装置４８、荷台駆動装置５４及びスイッチ６２（図１０（ａ）、図１０（ｂ）参照）が電気的に接続される。制御装置６１は、使用者がスイッチ６２を押すと、蓋３５が開いた後、荷台３７が引き出されるように、駆動装置４８と荷台駆動装置５４とを連動させる。また、制御装置６１は、使用者が再びスイッチ６２を押すと、荷台３７が引き込まれた後、蓋３５が閉じるように、駆動装置４８と荷台駆動装置５４とを連動させる。ここで、蓋３５のリンク機構５１と荷台３７のリンク機構５７とは、互いに直角な平面内で可動し、蓋３５及び荷台３７と干渉しないようにコンパクトに設けられるので、航空機内のインテリア設計の自由度を向上させることができる。
【００３０】
なお、リンク機構５１，５７の構成は特に限定されるものではなく、例えば蓋３５に直接的に駆動装置４８を連結することもできるし、荷台３７に直接的に荷台駆動装置５４を連結することもできる。また、駆動装置４８及び荷台駆動装置５４を設けることなく、ガススプリング等を用いて手動で蓋３５及び荷台３７を駆動させることもできる。
【００３１】
図１０は、第二実施形態の乗物の室内上部構造の正面側斜視図（キャビンの通路側から見た斜視図）を示す。図１０（ａ）は蓋３５が閉じた状態を示し、図１０（ｂ）は蓋３５が開いて荷台３７が引き出された状態を示す。図１０（ｂ）に示すように、荷台３７が引き出されたとき、荷台３７は使用者に向かって移動する。このため、荷台３７への荷物の出し入れが容易になる。また、荷台３７を移動可能とすることによって、キャビンの通路から手が届きにくい位置でもオーバーヘッドビンの設置が可能となり、航空機内のインテリア設計の自由度が向上する。なお、図１０（ａ）においては、開口部３４を蓋３５で閉じても、荷台３７の引き出し側の端部３７−１が露出しているが、端部３７−１が露出しないように荷台３７の全ての部分を収容部３６に収容することも可能である。
【符号の説明】
【００３２】
２…案内装置，３…ブロック（移動体），４…レール（軌道台），２１…ブラケット，２２…固定荷台，２３…本体部材，２４…荷台，３１…ガススプリング，３４…開口部，３５…蓋，３６…収容部，３７…荷台，３８…本体部材，４８…駆動装置，５１…蓋のリンク機構，５４…荷台駆動装置，５７…荷台のリンク機構，６１…制御装置
【図１】
0006461691.tif 000002
【図２】
0006461691.tif 000003
【図３】
0006461691.tif 000004
【図４】
0006461691.tif 000005
【図５】
0006461691.tif 000006
【図６】
0006461691.tif 000007
【図７】
0006461691.tif 000008
【図８】
0006461691.tif 000009
【図９】
0006461691.tif 000010
【図１０】
0006461691.tif 000011